(57)【特許請求の範囲】
【請求項１】
適宜巾を有する水平板面部の長さ方向一側に屋根構成部材の先端部分に沿って傾斜した内側固着面部を設ける一方、当該長さ方向他側を起立させて起立片部を形成すると共に、この起立片部の巾方向少なくとも一側縁に軒樋幅方向に沿った外側固着片部を設けてなる構成を有する軒樋補強部材と、
底壁部の両側から後壁部及び前壁部を立ち上げ、これら壁部に囲まれた内部に軒樋幅方向に沿った垂直面を立設し、この垂直面内に軒樋が嵌合し得る支持受け部を設けてなる構成を有する軒樋支持具と、を有してなる軒樋補強構造であって、
屋根構成部材の軒下垂直面に後壁部を固着して軒先に取り付けられた軒樋支持具の支持受け部に軒樋を嵌入して取り付け、
この軒樋支持具の垂直面外側上部に前記軒樋補強部材の外側固着片部を固着すると共に起立片部を前記軒樋の樋前面の上縁部に内側から当接させ、
軒樋補強部材の内側固着面部を屋根構成部材の先端部分上面に固着して、屋根構成部材の先端部分と軒樋支持具の前壁部とを軒樋補強部材で連結することを特徴とする軒樋補強構造。
【発明の詳細な説明】
【０００１】
【発明の属する技術分野】
本発明は、軒樋及び軒樋支持具からなる軒樋部分の補強構造に関する。
【０００２】
【従来の技術】
最近の住宅の軒先構造を見ると、軒樋を直接鼻隠板に取付けるのではなく、図５に示すように、軒先の鼻隠板１０３に所定の間隔を置いて軒樋支持具１０１、１０１・・を取付け、これらの軒樋支持具１０１、１０１・・に軒樋１０２を架設し、更に外観を良好にするために軒樋１０２の前側（軒先側）及び底側を長尺な化粧パネル１０３で被覆してなる構造のものが一般的になってきている。
【０００３】
【発明が解決しようとする課題】
上記の如き軒先構造であれば、複数の軒樋支持具１０１、１０１・・によって軒樋１０２を支持しているから、従来のものに比べて確かに強度は高められているものの、例えば大雪が降って軒樋１０２に大きな荷重がかかったような場合には、この負荷に耐えきれずに軒樋支持具１０１が外側に開くなど変形して、化粧パネル１０３までもが破損することがあった。
【０００４】
そこで本発明は、このような問題点に鑑み、外観の良好性を維持しつつ、大雪の影響を受けても破損しない強度を付与し得る軒樋補強構造及び軒樋補強部材を提供せんとするものである。
【０００５】
【課題を解決するための手段】
上記課題を解決するために、本発明は、適宜巾を有する水平板面部の長さ方向一側に屋根構成部材の先端部分に沿って傾斜した内側固着面部を設ける一方、当該長さ方向他側を起立させて起立片部を形成すると共に、この起立片部の巾方向少なくとも一側縁に軒樋幅方向に沿った外側固着片部を設けて軒樋補強部材を構成した。
【０００６】
この軒樋補強部材を用いれば、底壁部の両側から後壁部及び前壁部を立ち上げ、これら壁部に囲まれた内部に軒樋幅方向に沿った垂直面を立設し、この垂直面内に軒樋が嵌合し得る支持受け部を設けてなる構成を有する軒樋支持具とから、次のようにして軒樋補強構造を構成することができる。すなわち、屋根構成部材の軒下垂直面に後壁部を固着して軒先に軒樋支持具を取り付け、この軒樋支持具の支持受け部に軒樋を嵌入して取り付け、軒樋支持具の垂直面外側上部に前記軒樋補強部材の外側固着片部を固着すると共に起立片部を前記軒樋の樋前面の上縁部に内側から当接させ、軒樋補強部材の内側固着面部を屋根構成部材の先端部分上面に固着して、屋根構成部材の先端部分と軒樋支持具の前壁部とを軒樋補強部材で連結して軒樋補強構造を構成することができる。
【０００７】
かかる構成を有する軒樋補強構造によれば、屋根構成部材の先端部分と軒樋支持具の前壁部とを軒樋補強部材で連結することにより、軒樋支持具の前壁部上部を屋根側から吊るように支持することができるから、多量の雪が軒樋に溜まって軒樋支持具に大きな荷重がかかったとしても、軒樋支持具が外側に開いたり、曲がったりする変形を抑えることができる。しかも、軒樋支持具の外側を化粧パネルで被覆することによって、軒樋補強部材の存在を外側から隠すことができるから外観を損ねることもない。
また、既に軒樋支持具が配設されている既存の軒先構造に対しても、上記の如く軒樋補強部材を取付けることによって、本発明の軒樋補強構造を構成することができ、簡単に補強を図ることができる。
【０００８】
【発明の実施の形態】
以下、本発明の実施形態を一実施例に基づいて説明する。
【０００９】
本発明の軒先補強構造は、図１に示すように、補強部材１と軒樋支持具１０とから構成することができる。
【００１０】
補強部材１は、図２に示すように、金属製の板材を板金加工して形成したものであり、適宜巾と適宜長さを有する水平板面部２と、この水平板面部２の長さ方向一側すなわち屋根側を折曲させて、屋根構成部材としての野地板５１の先端上面部に沿うように傾斜させ、面内に固着孔６、６を設けてなる内側固着面部３と、前記水平板面部２の長さ方向他側すなわち屋外側を起立させてなる起立片部４と、この起立片部４の巾方向少なくとも一側縁を軒樋２０の幅方向に折曲し、片内に固着孔７を設けてなる外側固着片部５とを有するように形成してある。
なお、固着孔６及び固着孔７は予め設けておかなくても、固着作業時に設けるようにしてもよい。
【００１１】
一方、軒樋支持具１０は、図１及び図３に示すように、金属製の板材を板金加工して形成してあり、適宜巾を有する水平板面部としての底壁部１１と、この底壁部１１の両側から立ちあがった後壁部１２及び前壁部１３と、この前壁部１３の上端部を後方に折曲してなる水平面を有する水平壁部１４と、後壁部１２の上端部を前方に折曲してなる水平面を有する水平壁部１５と、これら壁部１１、１２，１３，１４及び１５に囲まれた内部にこれら壁部と直交する、言い換えれば軒樋２０の幅方向に立設する垂直面１６を形成し、この垂直面１６内に軒樋２０の外郭に沿った嵌合溝１７ａを形成すると共にこの溝部１７ａの底面から水平方向に支持面１７ｂを張出してなる支持受け部１７とを有するように形成してある。
【００１２】
上記補強部材１及び軒樋支持具１０から次のようにして軒先補強構造を構成することができる。
【００１３】
軒樋支持具１０の後壁部１２を野地板５１の軒下に配設された鼻隠板５２にリベットやビス或いは釘などの固着金具で固着して、軒樋支持具１０を屋根葺材５０の軒先に取付ける。こうして順次水平方向に所定の間隔を置いて軒樋支持具１０、１０・・を取付けておく。
【００１４】
次に、これら軒樋支持具１０、１０、・・の支持受け部１７の溝部１７ｂ内に軒樋２０を嵌入して軒樋２０を架設する。
なお、軒樋２０は、合成樹脂製であって、樋底面２１と、この樋底面２１の両側から立ちあがった樋前面２２及び樋後面２３と、これら樋前面２２及び樋後面２３の上縁部にそれぞれ形成してなる樋耳２４，２５とを有するように形成してある。
【００１５】
こうして軒樋支持具１０、１０・・及び軒樋２０を取付けたら、補強部材１の外側固着片部５を軒樋支持具１０の垂直面１６内の前壁側（外側）上端部付近に当接し、固着孔７にビス等の固着部材を打ち込んで固着し、水平板面部２を軒樋２０の上方を跨がせて、内側固着面部３を野地板５１の先端上面部に当接し、固着孔６、６内に釘などの固着部材を打ち込んで固着し、野地板５１の先端部分と軒樋支持具１０の前壁側上部とを補強部材１で連結して軒樋補強構造を構成する。
この際、図３に示すように、補強部材１の起立片部４を軒樋２０の外側耳部２４に内側から当接して押えておくことにより、軒樋２０の固定をより一層確実なものとすることができる。
【００１６】
かかる軒樋補強構造によれば、図４に示すように、ちょうど軒樋支持具１０の前壁側（外側）上端部付近を補強部材１で屋根側から吊ったかたちで軒樋支持具１０を支持・補強することができるから、図４の矢印で示すように、多量の雪が軒樋２０内に溜まって軒樋支持具１０に大きな下向き荷重がかかったとしても、軒樋支持具１０は屋根側から吊られているから前壁部１３が外側に開くなどの変形を防ぐことができ、化粧パネル３０を破損させることもない。
しかも、軒樋支持具１０の外側（前側及び底面側）を化粧パネル３０で被覆することによって、補強部材１の存在を外側から隠すことができるから外観を損ねることもない。
また、軒樋支持具１０で軒樋２０を支持してなる既存の軒先構造に対しては、上記の如く補強部材１を取付けることで上記同様の軒樋補強構造を構成することができ、簡単に補強することができる。
【図面の簡単な説明】
【図１】本発明の一実施例に係る軒樋補強構造の構成例を示した斜視図図である。
【図２】図１の軒樋補強構造を構成する補強部材の斜視図である。
【図３】図１の軒樋補強構造を組み込んで構成してなる軒先構造の一例を示した断面図である。
【図４】図３の軒先構造における力の作用の一部を示した断面図である。
【図５】従来の軒先部分の構成例を示した断面図である。
【符号の説明】
１    補強部材
２    水平板面部
３    内側固着面部
４    起立片部
５    外側固着片部
６    固着孔
７    固着孔
１０    軒樋支持具
１１    底壁部
１２    後壁部
１３    前壁部
１４    水平壁部
１５    水平壁部
１６    垂直面
１７    支持受け部
２０    軒樋
２１    樋底面
２２    樋前面
２３    樋後面
２４    樋耳
２５    樋耳
３０    化粧パネル
５１    野地板
５２    鼻隠板
５０    屋根葺材
【図１】
0003822018.tif 000002
【図２】
0003822018.tif 000003
【図３】
0003822018.tif 000004
【図４】
0003822018.tif 000005
【図５】
0003822018.tif 000006